【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
商用交流電源に接続されるホットラインをオン・オフする第１スイッチ素子と、
商用交流電源に接続されるニュートラルラインをオン・オフする第２スイッチ素子と、
前記ホットラインのうち、前記商用交流電源の側から見て前記第１スイッチ素子よりも後段に位置する後段ホットライン領域と、前記ニュートラルラインのうち、前記商用交流電源の側から見て前記第２スイッチ素子よりも前段に位置する前段ニュートラルライン領域とに接続され、前記前段ニュートラルライン領域から前記後段ホットライン領域へ絶縁耐圧試験用の交流を通電する第１電気素子と、
前記ホットラインのうち、前記後段ホットライン領域と、前記ニュートラルラインのうち、前記第２スイッチ素子よりも後段に位置する後段ニュートラルライン領域とに接続し、前記後段ホットライン領域から前記後段ニュートラルライン領域へ前記絶縁耐圧試験用の交流を通電する第２電気素子と、
を備えたことを特徴とする電子機器。
【請求項２】
前記第１電気素子と前記第２電気素子は、それぞれ商用交流電源からのラインノイズをフィルタリングするフィルタの一部であることを特徴とする請求項１に記載の電子機器。 
【請求項３】
前記第１電気素子と前記第２電気素子は、それぞれ前記ホットラインと前記ニュートラルラインとの間に接続されたコンデンサを備えていることを特徴とする請求項１または２に記載の電子機器。
【請求項４】
前記第１電気素子は、前記後段ホットライン領域と前記前段ニュートラルライン領域との間に接続されたコンデンサを備えていることを特徴とする請求項１乃至３の何れか１項に記載の電子機器。
【請求項５】
前記第２電気素子は、前記後段ホットライン領域と前記後段ニュートラルライン領域との間に接続されたコンデンサを備えていることを特徴とする請求項１乃至４の何れか１項に記載の電子機器。
【請求項６】
前記ホットラインの入力端子と前記ニュートラルラインの入力端子とが短絡された状態で前記絶縁耐圧試験が実行されることを特徴とする請求項１乃至５の何れか１項に記載の電子機器。
【請求項７】
前記第１スイッチ素子と前記第２スイッチ素子はそれぞれオフとなっている状態で前記絶縁耐圧試験が実行されることを特徴とする請求項１乃至６の何れか１項に記載の電子機器。
【請求項８】
商用交流電源に接続されるホットラインをオン・オフする第１スイッチ素子と、
商用交流電源に接続されるニュートラルラインをオン・オフする第２スイッチ素子と、
前記ホットラインのうち、前記商用交流電源の側から見て前記第１スイッチ素子よりも前段に位置する前段ホットライン領域と、前記ニュートラルラインのうち、前記商用交流電源の側から見て前記第２スイッチ素子よりも後段に位置する後段ニュートラルライン領域とに接続され、前記前段ホットライン領域から前記後段ニュートラルライン領域へ絶縁耐圧試験用の交流を通電する第１電気素子と、
前記ホットラインのうち、前記商用交流電源の側から見て前記第１スイッチ素子よりも後段に位置する後段ホットライン領域と、前記ニュートラルラインのうち、前記後段ニュートラルライン領域とに接続し、前記後段ニュートラルライン領域から前記後段ホットライン領域へ前記絶縁耐圧試験用の交流を通電する第２電気素子と、
を備えたことを特徴とする電子機器。
【請求項９】
前記第１電気素子と前記第２電気素子は、それぞれ商用交流電源からのラインノイズをフィルタリングするフィルタの一部であることを特徴とする請求項８に記載の電子機器。 
【請求項１０】
前記第１電気素子と前記第２電気素子は、それぞれ前記ホットラインと前記ニュートラルラインとの間に接続されたコンデンサを備えていることを特徴とする請求項８または９に記載の電子機器。
【請求項１１】
前記第１電気素子は、前記前段ホットライン領域と前記後段ニュートラルライン領域との間に接続されたコンデンサを備えていることを特徴とする請求項８乃至１０の何れか１項に記載の電子機器。
【請求項１２】
前記第２電気素子は、前記後段ホットライン領域と前記後段ニュートラルライン領域との間に接続されたコンデンサを備えていることを特徴とする請求項８乃至１１の何れか１項に記載の電子機器。
【請求項１３】
前記ホットラインの入力端子と前記ニュートラルラインの入力端子とが短絡された状態で前記絶縁耐圧試験が実行されることを特徴とする請求項８乃至１２の何れか１項に記載の電子機器。
【請求項１４】
前記第１スイッチ素子と前記第２スイッチ素子はそれぞれオフとなっている状態で前記絶縁耐圧試験が実行されることを特徴とする請求項８乃至１３の何れか１項に記載の電子機器。
【請求項１５】
商用交流電源に接続されるホットラインをオン・オフする第１スイッチ素子と、
商用交流電源に接続されるニュートラルラインをオン・オフする第２スイッチ素子と、
前記ホットラインのうち、前記商用交流電源の側から見て前記第１スイッチ素子よりも後段に位置する後段ホットライン領域と、前記ニュートラルラインのうち、前記商用交流電源の側から見て前記第２スイッチ素子よりも前段に位置する前段ニュートラルライン領域とに接続する第１電気素子と、
前記ホットラインのうち、前記後段ホットライン領域と、前記ニュートラルラインのうち、前記商用交流電源の側から見て前記第２スイッチ素子よりも後段に位置する後段ニュートラルライン領域とに接続する第２電気素子と、
を備えた電子機器の絶縁耐圧試験方法であって、
前記ホットラインの入力端と前記ニュートラルラインの入力端とに絶縁耐圧試験用の交流を印加するステップと、
前記第１電気素子によって、前記前段ニュートラルライン領域から前記後段ホットライン領域へ絶縁耐圧試験用の交流を通電するステップと、
前記第２電気素子によって、前記後段ホットライン領域から前記後段ニュートラルライン領域へ前記絶縁耐圧試験用の交流を通電するステップと
を有することを特徴とする絶縁耐圧試験方法。
【請求項１６】
商用交流電源に接続されるホットラインをオン・オフする第１スイッチ素子と、
商用交流電源に接続されるニュートラルラインをオン・オフする第２スイッチ素子と、
前記ホットラインのうち、前記商用交流電源の側から見て前記第１スイッチ素子よりも前段に位置する前段ホットライン領域と、前記ニュートラルラインのうち、前記商用交流電源の側から見て前記第２スイッチ素子よりも後段に位置する後段ニュートラルライン領域とに接続する第１電気素子と、
前記ホットラインのうち、前記商用交流電源の側から見て前記第１スイッチ素子よりも後段に位置する後段ホットライン領域と、前記ニュートラルラインのうち、前記後段ニュートラルライン領域とに接続する第２電気素子と、
を備えた電子機器の絶縁耐圧試験方法であって、
前記ホットラインの入力端と前記ニュートラルラインの入力端とに絶縁耐圧試験用の交流を印加するステップと、
前記第１電気素子によって、前記前段ホットライン領域から前記後段ニュートラルライン領域へ絶縁耐圧試験用の交流を通電するステップと、
前記第２電気素子によって、前記後段ニュートラルライン領域から前記後段ホットライン領域へ前記絶縁耐圧試験用の交流を通電するステップと
を有することを特徴とする絶縁耐圧試験方法。
【手続補正２】
【補正対象書類名】明細書
【補正対象項目名】０００７
【補正方法】変更
【補正の内容】
【０００７】
本発明は、たとえば、
商用交流電源に接続されるホットラインをオン・オフする第１スイッチ素子と、
商用交流電源に接続されるニュートラルラインをオン・オフする第２スイッチ素子と、
前記ホットラインのうち、前記商用交流電源の側から見て前記第１スイッチ素子よりも後段に位置する後段ホットライン領域と、前記ニュートラルラインのうち、前記商用交流電源の側から見て前記第２スイッチ素子よりも前段に位置する前段ニュートラルライン領域とに接続され、前記前段ニュートラルライン領域から前記後段ホットライン領域へ絶縁耐圧試験用の交流を通電する第１電気素子と、
前記ホットラインのうち、前記後段ホットライン領域と、前記ニュートラルラインのうち、前記第２スイッチ素子よりも後段に位置する後段ニュートラルライン領域とに接続し、前記後段ホットライン領域から前記後段ニュートラルライン領域へ前記絶縁耐圧試験用の交流を通電する第２電気素子と、
を備えたことを特徴とする電子機器を提供する。
【手続補正３】
【補正対象書類名】明細書
【補正対象項目名】０００８
【補正方法】変更
【補正の内容】
【０００８】
さらに、本発明は、
商用交流電源に接続されるホットラインをオン・オフする第１スイッチ素子と、
商用交流電源に接続されるニュートラルラインをオン・オフする第２スイッチ素子と、
前記ホットラインのうち、前記商用交流電源の側から見て前記第１スイッチ素子よりも後段に位置する後段ホットライン領域と、前記ニュートラルラインのうち、前記商用交流電源の側から見て前記第２スイッチ素子よりも前段に位置する前段ニュートラルライン領域とに接続する第１電気素子と、
前記ホットラインのうち、前記後段ホットライン領域と、前記ニュートラルラインのうち、前記商用交流電源の側から見て前記第２スイッチ素子よりも後段に位置する後段ニュートラルライン領域とに接続する第２電気素子と、
を備えた電子機器の絶縁耐圧試験方法であって、
前記ホットラインの入力端と前記ニュートラルラインの入力端とに絶縁耐圧試験用の交流を印加するステップと、
前記第１電気素子によって、前記前段ニュートラルライン領域から前記後段ホットライン領域へ絶縁耐圧試験用の交流を通電するステップと、
前記第２電気素子によって、前記後段ホットライン領域から前記後段ニュートラルライン領域へ前記絶縁耐圧試験用の交流を通電するステップと
を有することを特徴とする絶縁耐圧試験方法。
【手続補正４】
【補正対象書類名】明細書
【補正対象項目名】発明の名称
【補正方法】変更
【補正の内容】
【発明の名称】電子機器およびその絶縁耐圧試験方法
【手続補正５】
【補正対象書類名】明細書
【補正対象項目名】０００１
【補正方法】変更
【補正の内容】
【０００１】
本発明は電子機器およびその絶縁耐圧試験方法に関する。
【手続補正６】
【補正対象書類名】明細書
【補正対象項目名】０００２
【補正方法】変更
【補正の内容】
【０００２】
商用交流電源から画像形成装置に供給され電力を供給したり遮断したりするために、ホットラインとニュートラルラインとにスイッチが挿入されることがある。一方で、ハードディスクドライブ（ＨＤＤ）等を内蔵する画像形成装置が増えてきている。ユーザーが、上述したスイッチをオフ操作することですべての電源供給を直ちに遮断してしまうと、ＨＤＤがクラッシュしてしまうことがある。そこで、電源スイッチがオフ操作されたとしても、ＨＤＤが安全に停止するまでは、ＨＤＤに関連したユニットに電力を供給し続けることが要求される。
【手続補正７】
【補正対象書類名】明細書
【補正対象項目名】００１３
【補正方法】変更
【補正の内容】
【００１３】
交流入力部１０６は、ホットライン１０８をオン・オフ切り替えする第１リレー１１０と、ニュートラルライン１０９をオン・オフ切り替えする第２リレー１１１と、商用交流電源からのラインノイズをフィルタリングするノイズフィルタ１１４を備えている。ノイズフィルタは、第１のＸコンデンサ１３２、コモンモードインダクタ１３３、第２のＸコンデンサ１３４、Ｙコンデンサ１３５、１３６とで構成されている。
【手続補正８】
【補正対象書類名】明細書
【補正対象項目名】００２４
【補正方法】変更
【補正の内容】
【００２４】
さらに、ホットライン１０８のうち商用交流電源１０７の側から見て第１リレー１１０よりも後段に位置するホットラインと、ニュートラルライン１０９のうち商用交流電源１０７の側から見て第２リレー１１１よりも後段に位置するニュートラルラインとに接続する第２電気素子として第２のＸコンデンサ１３４を採用している。第２のＸコンデンサ１３４は第２ノイズフィルタ３０２に含まれる。第２のＸコンデンサ１３４により、第１リレー１１０よりも後段に位置するホットラインから第２リレー１１１よりも後段に位置するニュートラルラインへ絶縁耐圧試験用の交流を通電することが可能となる。
【手続補正９】
【補正対象書類名】明細書
【補正対象項目名】００３５
【補正方法】変更
【補正の内容】
【００３５】
さらに、図６が示すように、ホットライン１０８のうち商用交流電源１０７の側から見て第１リレー１１０よりも後段に位置するホットラインと、ニュートラルライン１０９のうち商用交流電源１０７の側から見て第２リレー１１１よりも後段に位置するニュートラルラインとの間に第２のＸコンデンサ１３４を接続している。図７が示すように、第２のＸコンデンサ１３４により、第２リレー１１１よりも後段に位置するニュートラルラインから第１リレー１１０よりも後段に位置するホットラインへ絶縁耐圧試験用の交流を通電することが可能となる。
【手続補正１０】
【補正対象書類名】明細書
【補正対象項目名】００３９
【補正方法】変更
【補正の内容】
【００３９】
以上説明したように、本実施例では、ホットライン１０８のうち商用交流電源１０７の側から見て第１リレー１１０よりも後段に位置するホットラインと、ニュートラルライン１０９のうち商用交流電源１０７の側から見て第２リレー１１１よりも前段に位置するニュートラルラインとに第１のＸコンデンサ１３２を接続している。この第１のＸコンデンサ１３２により、第２リレー１１１よりも前段に位置するニュートラルライン１０９から第１リレー１１０よりも後段に位置するホットラインへ絶縁耐圧試験用の交流を通電することが可能となる。もちろん、リレー駆動信号などの制御信号を第１リレー１１０に通電する必要はない。さらに、ホットライン１０８のうち商用交流電源１０７の側から見て第１リレー１１０よりも後段に位置するホットラインと、ニュートラルライン１０９のうち商用交流電源１０７の側から見て第２リレー１１１よりも後段に位置するニュートラルラインとに第２のＸコンデンサ１３４を接続している。この第２のＸコンデンサ１３４により、第１リレー１１０よりも後段に位置するホットラインから第２リレー１１１よりも後段に位置するニュートラルラインへ絶縁耐圧試験用の交流を通電することが可能となる。この構成によって本実施例では、リレーやＦＥＴなどの動作するために制御信号の供給が必要となるスイッチ素子が電力供給ラインに設けられている電子機器において、スイッチ素子に制御信号を供給することなく、絶縁耐圧試験を実行できるようになる。本実施例では、第１リレー１１０や第２リレー１１１などのスイッチ素子によって遮断されている電力ラインに対して、絶縁耐圧試験用の交流を通電する第１電気素子と第２電気素子を採用した。第１電気素子と第２電気素子は、コンデンサでなくともよく、インダクタ、抵抗などであってもよい。つまり、交流を通過させることができる電気素子であれば十分である。なお、これらの電気素子は、絶縁耐圧試験用の交流を通電する専用の素子であってもよいが、フィルタ回路の一部など、他の機能を実現するための回路要素と兼用できる素子であってもよい。このように電気素子を兼用すれば、製造コストを低減できる。電気素子の配置は、図４ないし図７の例に限定されることはなく、スイッチ素子によって遮断された部分と遮断されていない部分とを接続できる位置であれば十分である。ここでは、スイッチ素子としてリレーを採用したが、ＦＥＴ（電界効果トランジスタ）などであってもよい。